(57)【要約】【課題】遊技場内の演出効果並びに装飾効果を高めることができる遊技島設備を提供すること。【解決手段】パチンコ機２等の遊技機が設置される遊技島設備１であって、有機エレクトロルミネッセンス材料（ＥＬ材料）に電圧を印加させて発光させることにより表示態様を変化させることが可能な有機ＥＬパネル５０の表示領域が、設置される遊技機の上方を被覆する幕板４に設けられ、設置される遊技機から出力される大当り情報、始動情報、確変情報等の遊技情報に基づいてＥＬパネル５０の表示態様を変化させる。【選択図】　　図１
2004008589.tif 000002
【特許請求の範囲】
【請求項１】
遊技機が設置される遊技島設備であって、
エレクトロルミネッセンス材料に電圧を印加させて発光させることにより表示態様を変化させるＥＬ表示装置と、
前記設置される遊技機から出力される該遊技機に関する情報に基づいて前記ＥＬ表示装置の表示制御を行う表示制御手段と、を備え、
前記ＥＬ表示装置の表示領域が、前記設置される遊技機の上方を被覆する幕板の少なくとも一部に形成されていることを特徴とする遊技島設備。
【請求項２】
前記エレクトロルミネッセンス材料が、直流電圧を印加することで発光する有機エレクトロルミネッセンス材料である請求項１に記載の遊技島設備。
【請求項３】
外部機器からの情報を受信するデータ受信手段を備え、前記表示制御手段は、前記データ受信手段にて受信した情報に基づいて前記ＥＬ表示装置の表示制御を行う請求項１または２に記載の遊技島設備。
【請求項４】
前記ＥＬ表示装置の表示領域が前記幕板のほぼ全域にわたり設けられている請求項１〜３のいずれかに記載の遊技島設備。
【請求項５】
前記表示制御手段は、前記設置される遊技機から出力される情報に基づく該遊技機の遊技履歴情報を前記ＥＬ表示装置に表示させる制御を行う請求項１〜４のいずれかに記載の遊技島設備。
【請求項６】
前記表示制御手段を複数備えるとともに、該複数の表示制御手段によるＥＬ表示装置の表示制御を連携させる連携制御手段を備える請求項１〜５のいずれかに記載の遊技島設備。
【請求項７】
前記ＥＬ表示装置の表面を被覆する保護層が設けられている請求項１〜６のいずれかに記載の遊技島設備。
【発明の詳細な説明】
【０００１】
【発明の属する技術の分野】
本発明は、パチンコ機やスロットマシン等の遊技機が設置される遊技島設備に関する。
【０００２】
【従来の技術】
この種の遊技島設備としては、設置される遊技機の上方を被覆する幕板にランプや冷陰極管等からなる発光装置を設けるとともに、これら発光装置を設置される遊技機からの出力信号の検出に基づいて駆動させたり、定期的に駆動させて演出を行うことにより遊技場内の演出効果並びに装飾効果を高めるようにしたものが多数実用化されている。
【０００３】
【発明が解決しようとする課題】
しかしながら、これらランプや冷陰極管等からなる発光装置による演出では表現性に限界があるため、遊技島設備におけるそれ以上の演出効果並びに装飾効果の向上が望めないという問題があった。
【０００４】
よって、本発明は上記した問題点に着目してなされたもので、遊技場内の演出効果並びに装飾効果を高めることができる遊技島設備を提供することを目的としている。
【０００５】
【課題を解決するための手段】
前記した問題を解決するために、本発明の遊技島設備は、遊技機が設置される遊技島設備であって、
エレクトロルミネッセンス材料に電圧を印加させて発光させることにより表示態様を変化させるＥＬ表示装置と、
前記設置される遊技機から出力される該遊技機に関する情報に基づいて前記ＥＬ表示装置の表示制御を行う表示制御手段と、を備え、
前記ＥＬ表示装置の表示領域が、前記設置される遊技機の上方を被覆する幕板の少なくとも一部に形成されていることを特徴としている。
この特徴によれば、幕板に形成された表示領域の表示態様を設置される遊技機から出力された情報に基づいて変化させることができるようになり、例えば、遊技機から出力された情報に応じて文字情報の表示やアニメーション等の動画表示を行う等、表現性の高い演出を行うことも可能となるため、遊技場内の演出効果並びに装飾効果を飛躍的に高めることができる。また、表示装置として自己発光型のＥＬ表示装置を採用することにより、視認性に優れた表示を行うことができるばかりか、ＬＣＤやプラズマディスプレイよりも軽量であるため、メンテナンス性が向上する。
【０００６】
本発明の遊技島設備は、前記エレクトロルミネッセンス材料が、直流電圧を印加することで発光する有機エレクトロルミネッセンス材料であることが好ましい。
このようにすれば、直流低電圧の印加により発光できるため、省電力にて表示駆動できる。
【０００７】
本発明の遊技島設備は、外部機器からの情報を受信するデータ受信手段を備え、前記表示制御手段は、前記データ受信手段にて受信した情報に基づいて前記ＥＬ表示装置の表示制御を行うことが好ましい。
このようにすれば、例えば、ホールコンピュータ等の外部機器から入手した情報に基づいてＥＬ表示装置の表示態様を変化させることができる。
【０００８】
本発明の遊技島設備の前記ＥＬ表示装置の表示領域が前記幕板のほぼ全域にわたり設けられていることが好ましい。
このようにすれば、幕板のほぼ全域にわたって表示態様を変化させることができるため、より演出効果並びに装飾効果を高めることができる。
【０００９】
本発明の遊技島設備の前記表示制御手段は、前記設置される遊技機から出力される情報に基づく該遊技機の遊技履歴情報を前記ＥＬ表示装置に表示させる制御を行うことが好ましい。
このようにすれば、別個に遊技機の遊技履歴情報を表示するための情報表示装置を設ける必要がなく、遊技島設備の設置コストを軽減できる。
【００１０】
本発明の遊技島設備は、前記表示制御手段を複数備えるとともに、該複数の表示制御手段によるＥＬ表示装置の表示制御を連携させる連携制御手段を備えることが好ましい。
このようにすれば、例えば、１台の遊技機からの出力情報に応じて島全体の表示領域の表示態様を変化させたり、複数の表示領域間に文字情報や画像をスクロール表示させる等、複数の表示エリアの表示態様を連携させることができるため、より演出効果並びに装飾効果を高めることができる。
【００１１】
本発明の遊技島設備は、前記ＥＬ表示装置の表面を被覆する保護層が設けられていることが好ましい。
このようにすれば、外部からの衝撃等によりＥＬ表示装置が損傷する等の不都合を防止できる。
【００１２】
【発明の実施の形態】
（実施例）
以下、本発明の実施例を図面に基づいて説明すると、まず図１には本発明の実施例における遊技島設備としての遊技島１が示されており、この遊技島１には、遊技機としてのパチンコ機２が複数並設されている。これら並設されるパチンコ機２の上方は呼び出しランプ３が設けられるランプ板５により被覆されている。更にその上方は複数の幕板４にて被覆されている。
【００１３】
前記ランプ板５や幕板４は、開閉可能とされ、球供給通路を点検・整備できるようになっている。
【００１４】
各幕板４の前面には、各種文字情報や画像を表示可能なＥＬ表示装置としての有機ＥＬパネル５０が設けられ、このＥＬパネル５０により幕板４のほぼ全域にわたって表示領域が形成されている。
【００１５】
このように、有機ＥＬパネル５０の表示領域が幕板４の全域にわたって設けられることで、幕板４の全域にわたって文字情報や画像の表示を行うことができるため、より演出効果並びに装飾効果を高めることができる。
【００１６】
前記有機ＥＬパネル５０は、図２に示すように、幕板４の表面側に設けられており、有機ＥＬパネル５０の外表面は、ポリエステル樹脂からなる透明の保護樹脂板６０により被覆されている。また、幕板４の裏面側には有機ＥＬパネル５０の表示を制御する表示制御手段としての表示制御ユニット２０が有機ＥＬパネル５０に対応して１つずつ設けられている。
【００１７】
このように、有機ＥＬパネル５０の前面を保護樹脂板６０で被覆することにより、外部からの衝撃等により有機ＥＬパネル５０が損傷するなどの不都合を解消できる。
【００１８】
なお、本実施例では保護樹脂板６０に適用される材質としてポリエステル樹脂を使用しているが、本発明はこれに限定されるものではなく、有機ＥＬパネル５０を熱や衝撃等から保護でき、かつ有機ＥＬパネル５０の表示に支障を与えないものであればどのような材質のものでも使用することができる。
【００１９】
本実施例に用いた有機ＥＬパネル５０は図３に示すような構成とされており、陽極となる複数の酸化インジウム薄膜（ＩＴＯ）電極５３が配列形成されたＸ側ガラス基板５１と、陰極となる複数の金属電極５６が配列形成されたＹ側ガラス基板５７との両極間に、電界を印加することでＲＧＢの各発光色を発光する低分子或いは高分子の有機蛍光体薄膜５５Ｒ、５５Ｇ、５５Ｂが介在するように、前記酸化インジウム薄膜（ＩＴＯ）電極５３上を被覆するように形成されたキャリア層５４上に薄膜として配置形成され、その外周をシール材５２により前記Ｘ側ガラス基板５１とＹ側ガラス基板５７との間が密封された構成とされていて、前記Ｘ側ガラス基板５１の外周端部並びにＹ側ガラス基板５１の外周端部には、前記陽極である酸化インジウム薄膜（ＩＴＯ）電極５３と陰極である金属電極５６とを、表示制御を行う表示制御ユニット２０に接続するためのフレキシブルプリント基板（ＦＰＣ）５８が導出されている。
【００２０】
前記有機蛍光体薄膜５５Ｒ、５５Ｇ、５５Ｂに使用される有機電界発光（ＥＬ）材料としては、公知の低分子或いは高分子の有機電界発光（ＥＬ）材料であるアントラセン、ナフタレン、フェナントレン、ピレン、クリセン、ペリレン、ブタジエン誘導体、クマリン、アクリジンスチルベン誘導体、等の有機電界発光（ＥＬ）材料を好適に使用することができる。
【００２１】
また、前記キャリア層５４としては、正孔を前記有機蛍光体薄膜５５Ｒ、５５Ｇ、５５Ｂに輸送するものや、電子を輸送する公知の有機導電材を好適に使用することができ、これらキャリア層５４としては、例えば、前記正孔を輸送するフタロシアン系化合物や芳香族アミン系化合物が例示され、前記電子を輸送するものとしては、オキサジアゾール誘導体やトリアゾール誘導体等が例示され、これらを所定の膜圧に形成して使用することができる。
【００２２】
また、これら有機電界発光（ＥＬ）材料や有機導電材５４の薄膜を形成する手法は、ピンホールの無い良質な薄膜を形成できるものであれば、使用する各材料の性質に合わせて、スパッタリング法や蒸着法や、高分子である場合にはスピンコート法等の適宜な方法使用することができる。
【００２３】
本実施例の有機ＥＬパネル５０は、前記陽極である酸化インジウム薄膜（ＩＴＯ）電極５３と陰極である金属電極５６との交差する隣接する部位に、ＲＧＢの赤（Ｒ）、緑（Ｇ）、青（Ｂ）の各３原色を発光する有機蛍光体薄膜５５Ｒ、５５Ｇ、５５Ｂが並列配置形成され、これら対向する両電極間に、比較的低圧の直流電圧を印加することで、赤（Ｒ）、緑（Ｇ）、青（Ｂ）の各３原色が、前記Ｘ側ガラス基板５１側に放射されるようになっている。
【００２４】
なお、本実施例の有機ＥＬパネル５０は、これら隣接する赤（Ｒ）、緑（Ｇ）、青（Ｂ）を１単位として１画素が形成されるとともに、これらがドットマトリクス状に配置されているため、後述する表示ドライバ２３（図５参照）により電圧を印加する電極が適宜に選択されることで文字や画像を表示させることが可能とされている。更に、本実施例では、前記表示ドライバ２３により、各交差する電極間に印加する電圧のパルス幅を適宜に変化させることで、赤（Ｒ）、緑（Ｇ）、青（Ｂ）の３原色の各色の発光強度を変化させて諧調表示を行うことにより、フルカラー表示が可能とされている。
【００２５】
なお、本実施例では、前記金属電極５６が配列形成される基板材として透明なガラスを使用しているが、本発明はこれに限定されるものでははく、これら基板材として不透明なものを使用しても良い。
【００２６】
また、本実施例では、陰極として不透明な金属電極５６を使用しているが、本発明はこれに限定されるものではなく、これら陰極として透明な電極材料を使用して、有機ＥＬパネル５０自体を透明なものとしても良い。
【００２７】
更には、前記基板材としてガラスに代えて、高分子フィルム等を使用して、有機ＥＬパネル５０を可撓性を有するフィルムディスプレイとしても良く、このようにすれば、幕板の形状に曲面や凹凸が形成されている場合にも有機ＥＬパネル５０を設けることができる。
【００２８】
また、本実施例では、ＥＬ表示装置として、比較的低電圧の直流電圧を印加することにより発光する有機電界発光（ＥＬ）材料を使用した有機ＥＬパネル５０を用いているため、省電力にて表示駆動できる。
【００２９】
尚、本発明はこれに限定されるものではなく、これらＥＬ表示装置としては、マンガン（Ｍｎ）やテルビウム等の種々の元素が添加された硫化亜鉛（ＺｎＳ）薄膜や、セリウム（Ｃｅ）が添加された硫化ストロンチウム（ＳｒＳ）薄膜をＥＬ材料として用い、これらＥＬ薄膜に高周波電圧を印加して発光させる無機ＥＬ表示器を用いるようにしても良い。
【００３０】
次いで、本実施例における遊技島１の構成を図４を用いて説明すると、遊技島１には、前記有機ＥＬパネル５０の表示制御を行う表示制御手段としての表示制御ユニット２０とこれら表示制御ユニット２０を集中制御する連携制御手段並びにデータ受信手段としての集中制御ユニット３０が設けられ、各表示制御ユニット２０と集中制御ユニット３０とは、データ通信可能に接続されている。
【００３１】
また、前記表示制御ユニット２０には複数のパチンコ機２（本実施例では３台）が接続され、各パチンコ機２から出力される各種の情報が入力される。
【００３２】
また、集中制御ユニット３０は、遊技場内に設けられている外部機器としてのホールコンピュータ１０とデータ通信可能に接続されている。
【００３３】
次いで、表示制御手段としての表示制御ユニット２０の構成について図５を用いて説明すると、所定のプログラムに基づいて各種の制御を行うＭＰＵ２１と、有機ＥＬパネル５０に表示される画像データ等が記憶される記憶装置２２と、ＭＰＵ２１の指示により有機ＥＬパネル５０を駆動する表示ドライバ２３と、各パチンコ機２から出力される遊技情報が入力される入力ポート２４と、から構成されている。
【００３４】
記憶装置２２には、有機ＥＬパネル５０に表示する画像データや表示パターンが各状況別に登録された表示データテーブルが記憶されているとともに、各パチンコ機２毎の、前回大当り発生時からの始動回数、本日の大当り回数からなる遊技履歴情報が記憶されている。
【００３５】
記憶装置２２に記憶されている遊技履歴情報は、各パチンコ機２から出力される始動情報や大当り情報を受信する毎に、該当するパチンコ機２の始動回数や大当り回数が更新される。
【００３６】
尚、本実施例における遊技情報のうち始動情報とは、始動入賞して抽選が行われた旨を示す情報であり、大当り情報とは、大当り遊技状態が発生している旨を示す情報であり、後述する確率変動（確変）情報とは、次回の大当りまでの当選確率が向上するように変動する遊技状態が発生している旨を示す情報である。
【００３７】
ＭＰＵ２１は、主に、接続されているパチンコ機２から出力される遊技情報（始動情報、大当り情報、確変情報）や集中制御ユニット３０からの後述する制御情報の受信に基づいて記憶装置２２に記憶されている表示データから該当する表示データを抽出し、この抽出した表示データに基づき有機ＥＬパネル５０の表示制御を行う。尚、接続されているパチンコ機２から受信した遊技情報が特定の情報（本実施例では大当り情報）である場合には、その旨を通知する特定情報受信通知を集中制御ユニット３０に対して送信する処理を行う。また、集中制御ユニット３０から表示データを受信した場合には、この受信した表示データに基づき有機ＥＬパネル５０の表示制御を行う。
【００３８】
次いで連携制御手段並びにデータ受信手段としての集中制御ユニット３０について簡単に説明をすると、集中制御ユニット３０は、表示制御ユニット２０から特定情報受信通知を受信した場合に、複数の有機ＥＬパネル５０の表示領域に表示される表示内容を連携して表示させるための処理を行う。具体的には、連携表示させる表示領域の表示制御を行う表示制御ユニット２０に対して連携表示制御を指示する旨の制御情報を送信する処理を行う。また、集中制御ユニット３０は、ホールコンピュータ１０から広告やイベントの告知等の表示データを受信した場合に、この受信した表示データに基づく表示内容を有機ＥＬパネル５０に表示させるための処理を行う。具体的には、ホールコンピュータ１０から受信した表示データを必要に応じて加工し、表示制御ユニット２０に対して送信する処理を行う。
【００３９】
次いで、有機ＥＬパネル５０に実際に各種の情報が表示される様子や集中制御ユニット３０や表示制御ユニット２０の動作状況について以下に説明する。
【００４０】
図６に示すように、遊技島１の上部に設けられた有機ＥＬパネル５０の表示エリアは、遊技島１に設けられているパチンコ機２と対応して３つの表示エリア５０ａ、５０ｂ、５０ｃからなり、各表示エリアには遊技履歴表示エリア７０が設けられている。
【００４１】
遊技履歴表示エリア７０には、図６（ｂ）に示すように、対応するパチンコ機２の遊技履歴が表示されるようになっており、本実施例では対応するパチンコ機２における本日の大当り回数と、前回の大当りからの始動回数とが表示される。
【００４２】
図７（ａ）に示すように、表示制御ユニット２０は、パチンコ機２から前記始動情報や大当り情報などの遊技情報を受信した場合に、受信した情報に基づき記憶装置２２に記憶されている該当するパチンコ機２の遊技履歴情報を更新するとともに、遊技情報を出力したパチンコ機２に対応する遊技履歴表示エリア７０の表示内容を更新する。例えば、始動情報を受信した場合には、対応する遊技履歴表示エリア７０の始動回数を表示更新する。
【００４３】
このように、遊技島１に設置されているパチンコ機２から出力される遊技情報に基づく始動回数や大当り回数等の遊技履歴が有機ＥＬパネル５０の前記遊技情報エリア７０に表示されるようになっているため、別個にパチンコ機２の遊技履歴を表示するための情報表示装置を設ける必要がなく、遊技島設備の設置コストを低減できる。
【００４４】
また、特に表示制御ユニット２０がパチンコ機２からの大当り情報を受信した場合には、図７（ｂ）に示すように、大当り情報を受信した表示制御ユニット２０から、連携制御手段としての集中制御ユニット３０に対してパチンコ機２が大当りした旨を示す特定情報受信通知を送信する。
【００４５】
特定情報受信通知を受信した集中制御ユニット３０では、例えば接続されている全ての表示制御ユニット２０に対して連携表示制御を指示する旨の制御情報を送信する。
【００４６】
集中制御ユニット３０から制御情報を受信した表示制御ユニット２０は、受信した制御情報に基づき該当する表示データを抽出し、この抽出した表示データに基づく表示内容を有機ＥＬパネル５０に表示させる。これにより、例えば、複数の有機ＥＬパネル５０にわたって、「大当りおめでとうございます！」というメッセージがスクロール表示される。
【００４７】
このように、集中制御ユニット３０により複数の表示制御ユニット２０による有機ＥＬパネル５０の表示制御を連携させることで、１台のパチンコ機２から出力される遊技情報に応じて遊技島１全体の有機ＥＬパネル５０の表示態様を変化させたり、複数の有機ＥＬパネル５０間にわたって文字情報や画像をスクロール表示させる等、複数の有機ＥＬパネル５０の表示態様を連携させることができるため、演出効果や装飾効果をより高めることができる。
【００４８】
また、本実施例では、集中制御ユニット３０からの制御情報の受信に伴い有機ＥＬパネル５０に「大当りおめでとうございます！」というメッセージのスクロール表示（図８（ａ）参照）が行われた後、図８（ｂ）に示すように、表示エリア５０ａ〜ｃのうち大当りが発生したパチンコ機２に対応する表示エリア（例えば表示エリア５０ａ）のみ、大当り中である旨の画像を表示する。
【００４９】
更に、その大当りが確率変動大当りである場合、すなわち確率変動情報がパチンコ機２から出力された場合には、図８（ｃ）に示すように、発生した大当りの終了後に、確率変動状態となっているパチンコ機２に対応する表示エリア（例えば表示エリア５０ａ）のみ、確率変動中である旨の画像を表示する。
【００５０】
次いで、図９に示すように、集中制御ユニット３０が遊技場内に設けられているホールコンピュータ１０から広告やイベントの告知等の表示データを受信した場合には、受信した表示データを必要に応じて加工する。例えば、受信した表示データに基づく表示内容が複数の有機ＥＬパネル５０にわたって表示する場合やスクロール表示される場合には、表示データを分割する等の加工を行う。次いで、これら受信した表示データまたは加工した表示データを表示制御ユニット２０に対して送信する。これに基づき表示制御ユニット２０では、受信した表示データに基づく表示内容を有機ＥＬパネル５０に表示させる。
【００５１】
例えば、ホールコンピュータ１０から「本日のイベントは全台無制限！」というメッセージを複数の有機ＥＬパネル５０にわたってスクロール表示する旨の表示データを集中制御ユニット３０が受信した場合には、この表示データを有機ＥＬパネル５０にスクロール表示させるように加工して各表示制御ユニット２０へ送信する。これに基づき表示制御ユニット２０では集中制御ユニット３０から受信した表示データに基づく表示内容を有機ＥＬパネル５０に表示させる。これにより複数の有機ＥＬパネル５０にわたって「本日のイベントは全台無制限！」というメッセージがスクロール表示されることとなる。
【００５２】
このように、本実施例の遊技島１では、ホールコンピュータ１０等の外部機器から受信した表示データに基づく文字情報や画像を有機ＥＬパネル５０に表示させることができるようになっており、例えば、広告やイベントの告知等の遊技場情報を有機ＥＬパネル５０を利用して表示できる。
【００５３】
なお、外部機器からの表示データに基づく表示を行っている際に、前述したようにパチンコ機２に大当りが発生した場合等、パチンコ機２から遊技情報が出力された場合には、外部機器からの表示データに基づく表示制御よりも、パチンコ機２からの遊技情報の受信に基づく表示制御を優先して行う。
【００５４】
以上説明したように、本実施例の遊技島１においては、幕板４に設けられた有機ＥＬパネル５０の表示態様を設置されるパチンコ機２から出力された遊技情報に基づいて変化させることができるようになっており、例えば、パチンコ機２から出力された遊技情報に応じて文字情報の表示やアニメーション等の動画表示を行う等、表現性の高い演出を行うことが可能となるため、遊技場内の演出効果並びに装飾効果を飛躍的に高めることができる。
【００５５】
また、本実施例では、表示装置として自己発光型のＥＬ表示装置（有機ＥＬ表示器１００ａ〜ｄ）を採用しており、これにより、ＬＣＤ等の表示装置を適用する場合に比較して視認性に優れた表示を行うことができる。また、同じ自己発光型の表示装置であるプラズマディスプレイやドットマトリクスＬＥＤ等の表示装置を適用する場合に比較して省電力にて表示駆動できる。また、ＬＣＤやプラズマディスプレイ、ドットマトリクスＬＥＤ等の表示装置を採用する場合に比較して幕板４を軽量化できるため、メンテナンス性を向上できる。
【００５６】
尚、本実施例では、ＥＬ材料として有機ＥＬ材料を用いた有機ＥＬ表示器１００ａ〜ｄを採用しているが、前述した無機ＥＬ材料を用いた無機ＥＬ表示器を表示装置として採用した場合でもほぼ同様の効果を得られる。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、表示制御ユニット２０が、パチンコ機２又は集中制御ユニット３０から出力された各種の情報に基づき有機ＥＬパネル５０の表示制御を行うようになっているが、本発明はこれに限定されるものではなく、これらの装置以外の装置、例えば呼び出しランプ３の操作により呼び出し情報が表示制御ユニット２０に出力されて、この出力された情報により呼び出しランプ３が操作された、すなわち店員を呼びだしている旨のメッセージを有機ＥＬパネル５０に表示させるようにしても良い。
【００５９】
また、前記実施例では、幕板４のほぼ全域にわたって有機ＥＬパネル５０を設けて各種の情報を表示できるようになっているが、本発明はこれに限定されるものではなく、例えば、幕板４の一部、例えばパチンコ機２の上方にのみ有機ＥＬパネルを設け、遊技履歴を表示するようになっていても良い。
【００６０】
また、前記実施例では、有機ＥＬパネル５０をパチンコ機２の上方に位置する幕板４に設けるようになっているが、本発明はこれに限定されるものではなく、幕板４から前記呼び出しランプ３が設けられている前記ランプ板５にかけて有機ＥＬパネル５０を設けるようにしても良く、このようにすれば、有機ＥＬパネル５０が設置される領域が広がることからより装飾効果を高めることができる。
【００６１】
また、前記呼び出しランプ３の代わりとして前記有機ＥＬパネル５０の一部に、その表面に接触することで種々の操作を行うことが可能なタッチパネルを設けるようにして、このタッチパネルに触れることで、有機ＥＬパネル５０に店員を呼び出すための表示を行うようにしても良い。更に、このタッチパネルを利用してより詳細な遊技履歴等を表示できるようにしても良い。
【００６２】
また、前記実施例では、遊技機としてはパチンコ機２を適用するようになっているが、本発明はこれに限定されるものではなく、例えば図１０に示すように、スロットマシン２’などを遊技機として適用するようにしても良い。
【００６３】
また、前記実施例では、図６に示すように、複数台の遊技機に対して１つの有機ＥＬパネル５０が設けられる構成とされているが、本発明はこれに限定されるものではなく、図１０に示すように、１台の遊技機に対して１つの表示制御ユニット２０と１つの有機ＥＬパネル５０を設けるようにしても良い。
【００６４】
また、前記実施例における図６（ｂ）では、前記遊技履歴表示エリア７０に対応するパチンコ機２における本日の大当り回数と、前回の大当りからの始動回数を表示するようになっているが、本発明はこれに限定されるものではなく、これら遊技履歴表示エリア７０に表示されるデータは適宜に変更可能であり、例えば、開店時からの始動回数や確変大当り回数、前日以前の遊技履歴等を表示しても良い。更には、対応する遊技機がスロットマシンの場合には、その種別に応じて遊技履歴、例えば本日のボーナス回数やゲーム数等を表示するようにしても良い。
【００６５】
また、パチンコ機２から出力される遊技情報として、前記実施例で記述した大当り情報、始動情報、確変情報に加え、パチンコ機２における球詰まりなどのエラーが検知された際に出力されるエラー情報や、遊技を行う際に球貸処理を行う貸出装置から出力される球貸情報などの情報を出力し、これらの情報に応じて有機ＥＬパネル５０の表示態様を変化させるようにしても良い。
【００６６】
また、前記実施例では、有機ＥＬパネル５０に文字情報が表示される例について説明したが、これに限定されるものではなく、例えば、図１１（ａ）（ｂ）に示すように、有機ＥＬパネル５０にキャラクタやアニメーション等を表示するようにしても良い。また、図１１（ｃ）に示すように、遊技島を装飾するための静止画や動画を表示するようにしても良く、これらの表示を行うことにより遊技場における演出効果が向上する。
【００６７】
また、前記実施例で適用された保護樹脂板６０は透明なポリエステル樹脂板となっているが、本発明はこれに限定されるものではなく、有機ＥＬパネル５０に表示される内容が視認できるようになっていれば良く、例えば保護樹脂板に模様を入れたり着色を施すようにしたりしても良い。
【００６８】
前記実施例における各要素は、本発明に対して以下のように対応している。
【００６９】
本発明の請求項１は、遊技機（パチンコ機２）が設置される遊技島設備（遊技島１）であって、エレクトロルミネッセンス材料（ＥＬ材料）に電圧を印加させて発光させることにより表示態様を変化させるＥＬ表示装置（有機ＥＬパネル５０）と、前記設置される遊技機（パチンコ機２）から出力される該遊技機（パチンコ機２）に関する情報に基づいて前記ＥＬ表示装置（有機ＥＬパネル５０）の表示制御を行う表示制御手段（表示制御ユニット２０）と、を備え、前記ＥＬ表示装置（有機ＥＬパネル５０）の表示領域が、前記設置される遊技機（パチンコ機２）の上方を被覆する幕板４の少なくとも一部に形成されている。
【００７０】
本発明の請求項２は、前記エレクトロルミネッセンス材料（ＥＬ材料）が、直流電圧を印加することで発光する有機エレクトロルミネッセンス材料（有機ＥＬ材料）である。
【００７１】
本発明の請求項３は、外部機器（ホールコンピュータ１０）からの情報（表示データ）を受信するデータ受信手段（集合制御ユニット３０）を備え、前記表示制御手段（表示制御ユニット２０）は、前記データ受信手段（集合制御ユニット３０）にて受信した情報（表示データ）に基づいて前記ＥＬ表示装置（有機ＥＬパネル５０）の表示制御を行う。
【００７２】
本発明の請求項４は、前記ＥＬ表示装置（有機ＥＬパネル５０）の表示領域が前記幕板４のほぼ全域にわたり設けられている。
【００７３】
本発明の請求項５は、前記表示制御手段（表示制御ユニット２０）は、前記設置される遊技機（パチンコ機２）から出力される情報（大当り情報、始動情報、確変情報）に基づく該遊技機の遊技履歴情報（大当り回数、前回の大当りからの始動回数）を前記ＥＬ表示装置（有機ＥＬパネル５０）に表示させる制御を行う。
【００７４】
本発明の請求項６は、前記表示制御手段（表示制御ユニット２０）を複数備えるとともに、該複数の表示制御手段（表示制御ユニット２０）によるＥＬ表示装置（有機ＥＬパネル５０）の表示制御を連携させる連携制御手段（集中制御ユニット３０）を備える。
【００７５】
本発明の請求項７は、前記ＥＬ表示装置（有機ＥＬパネル５０）の表面を被覆する保護層（保護樹脂６０）が設けられている。
【００７６】
【発明の効果】
本発明は以下の効果を奏する。
【００７７】
（ａ）請求項１項の発明によれば、幕板に形成された表示領域の表示態様を設置される遊技機から出力された情報に基づいて変化させることができるようになり、例えば、遊技機から出力された情報に応じて文字情報の表示やアニメーション等の動画表示を行う等、表現性の高い演出を行うことも可能となるため、遊技場内の演出効果並びに装飾効果を飛躍的に高めることができる。また、表示装置として自己発光型のＥＬ表示装置を採用することにより、視認性に優れた表示を行うことができるばかりか、ＬＣＤやプラズマディスプレイよりも軽量であるため、メンテナンス性が向上する。
【００７８】
（ｂ）請求項２項の発明によれば、直流低電圧の印加により発光できるため、省電力にて表示駆動できる。
【００７９】
（ｃ）請求項３項の発明によれば、例えば、ホールコンピュータ等の外部機器から入手した情報に基づいてＥＬ表示装置の表示態様を変化させることができる。
【００８０】
（ｄ）請求項４項の発明によれば、幕板のほぼ全域にわたって表示態様を変化させることができるため、より演出効果並びに装飾効果を高めることができる。
【００８１】
（ｅ）請求項５項の発明によれば、別個に遊技機の遊技履歴情報を表示するための情報表示装置を設ける必要がなく、遊技島設備の設置コストを軽減できる。
【００８２】
（ｆ）請求項６項の発明によれば、例えば、１台の遊技機からの出力情報に応じて島全体の表示領域の表示態様を変化させたり、複数の表示領域間に文字情報や画像をスクロール表示させる等、複数の表示エリアの表示態様を連携させることができるため、より演出効果並びに装飾効果を高めることができる。
【００８３】
（ｇ）請求項７項の発明によれば、外部からの衝撃等によりＥＬ表示装置が損傷する等の不都合を防止できる。
【図面の簡単な説明】
【図１】本発明の実施例における遊技島を示す正面図である。
【図２】本実施例における遊技島の幕板の断面図である。
【図３】本実施例における有機ＥＬパネルの断面図である。
【図４】本実施例における遊技島の構成を示すブロック図である。
【図５】本実施例の表示制御ユニットの構成を示すブロック図である。
【図６】本実施例における有機ＥＬパネルの表示状況を示す図である。
【図７】本実施例における遊技島を構成する各部の制御状況を示す図である。
【図８】本実施例における有機ＥＬパネルの表示状況を示す図である。
【図９】本実施例における遊技島を構成する各部の制御状況を示す図である。
【図１０】本発明の変形例としての遊技島の構成を示すブロック図である。
【図１１】本実施例における有機ＥＬパネルの表示状況を示す図である。
【符号の説明】
１　　　　　　　　　　　　遊技島
２　　　　　　　　　　　　パチンコ機
２’　　　　　　　　　　　スロットマシン
３　　　　　　　　　　　　呼び出しランプ
４　　　　　　　　　　　　幕板
５　　　　　　　　　　　　ランプ板
１０　　　　　　　　　　　ホールコンピュータ
２０　　　　　　　　　　　表示制御ユニット
２１　　　　　　　　　　　ＭＰＵ
２２　　　　　　　　　　　記憶装置
２３　　　　　　　　　　　表示ドライバ
２４　　　　　　　　　　　入力ポート
３０　　　　　　　　　　　集中制御ユニット
５０　　　　　　　　　　　有機ＥＬパネル
５０ａ、５０ｂ、５０ｃ　　表示エリア
５１　　　　　　　　　　　Ｘ側ガラス基板
５２　　　　　　　　　　　シール材
５３　　　　　　　　　　　酸化インジウム薄膜（ＩＴＯ）電極
５４　　　　　　　　　　　有機導電材
５５Ｒ　　　　　　　　　　有機蛍光体薄膜（赤）
５５Ｇ　　　　　　　　　　有機蛍光体薄膜（緑）
５５Ｂ　　　　　　　　　　有機蛍光体薄膜（青）
５６　　　　　　　　　　　金属電極
５７　　　　　　　　　　　Ｙ側ガラス基板
５８　　　　　　　　　　　フレキシブルプリント基板（ＦＰＣ）
６０　　　　　　　　　　　保護樹脂板
７０　　　　　　　　　　　遊技履歴表示エリア
【図１】
2004008589.tif 000003
【図２】
2004008589.tif 000004
【図３】
2004008589.tif 000005
【図４】
2004008589.tif 000006
【図５】
2004008589.tif 000007
【図６】
2004008589.tif 000008
【図７】
2004008589.tif 000009
【図８】
2004008589.tif 000010
【図９】
2004008589.tif 000011
【図１０】
2004008589.tif 000012
【図１１】
2004008589.tif 000013